【手続補正書】
【提出日】平成25年5月2日(2013.5.2)
【手続補正１】
【補正対象書類名】明細書
【補正対象項目名】０１２１
【補正方法】変更
【補正の内容】
【０１２１】
本開示は実施の形態を説明してきたが、本開示の追加的な実施の形態に加えて事例的な実施の形態の様々な修正も、本明細書を参照すれば添付の特許請求の範囲に規定されたように本開示の範囲から逸脱することなく当業者には明らかであることが理解される。添付の特許請求の範囲は、任意のそのような修正または実施の形態を、本開示の範囲に含まれるものとして包含することが想定されている。
本明細書に開示された内容は、少なくとも以下のコンセプトを含んでいる。
［コンセプト１］
入力情報を受信するように構成されたユーザーインターフェースと、
血管接近装置（ＶＡＤ）によって薬剤を患者の注入部位領域にまで搬送するための液体輸送経路の複数の液体状態のパラメータを測定するように構成されたセンサと、
測定された複数の液体状態のパラメータと入力情報とに基づいて、注入部位領域の状態を決定するように構成されたプロセッサと、
注入部位領域の状態に関する情報を提供するように構成された出力装置と、を含むことを特徴とする薬剤搬送監視装置。
［コンセプト２］
複数の液体状態のパラメータは、液体輸送経路の圧力および抵抗を含むことを特徴とするコンセプト１に記載の装置。
［コンセプト３］
複数の液体状態のパラメータは、液体輸送経路のキャパシタンスおよびインピーダンスを含むことを特徴とするコンセプト１に記載の装置。
［コンセプト４］
前記プロセッサは、液体輸送経路の圧力と、液体輸送経路の抵抗と、患者の情報、薬剤情報、およびＶＡＤの情報の少なくとも１つとに基づいて、注入部位領域の状態のモデルを作るようにさらに構成されていることを特徴とするコンセプト１に記載の装置。
［コンセプト５］
前記モデルは、注入部位領域における液体およびタンパク質の状態を含むことを特徴とするコンセプト４に記載の装置。
［コンセプト６］
前記モデルは、液体輸送経路のキャパシタンスおよびインピーダンスにさらに基づくことを特徴とするコンセプト４に記載の装置。
［コンセプト７］
測定された複数の液体状態のパラメータの履歴を保存するように構成されたメモリをさらに含み、
前記モデルは測定された液体状態のパラメータの履歴にさらに基づくことを特徴とするコンセプト４に記載の装置。
［コンセプト８］
前記入力情報は、患者の情報、薬剤情報、およびＶＡＤの情報のうちの少なくとも１つを含むことを特徴とするコンセプト１に記載の装置。
［コンセプト９］
前記患者の情報は、患者の体重、患者の身長、患者の体表面積、患者の年齢、および患者の性別のうちの少なくとも１つを含むことを特徴とするコンセプト８に記載の装置。
［コンセプト１０］
前記薬剤情報は、薬剤の化学的性質、薬剤の濃度、薬剤の注入速度、および薬剤に関する少なくとも１つの希釈剤または添加剤の性質のうちの少なくとも１つを含むことを特徴とするコンセプト８に記載の装置。
［コンセプト１１］
前記ＶＡＤの情報は、ＶＡＤの型、ＶＡＤの大きさ、およびＶＡＤの位置のうちの少なくとも１つを含むことを特徴とするコンセプト８に記載の装置。
［コンセプト１２］
前記プロセッサは、瞬間的な流体状態のパラメータ、フィルタ処理された液体状態のパラメータ、および液体状態のパラメータの長期傾向のうちの少なくとも１つを記録するように構成されていることを特徴とするコンセプト１に記載の装置。
［コンセプト１３］
前記圧力は、液体輸送経路の出口において測定されることを特徴とするコンセプト２に記載の装置。
［コンセプト１４］
抵抗は、プロセッサによって薬剤の平均注入速度中に導入された小規模な変調に基づいて測定されることを特徴とするコンセプト１に記載の装置。
［コンセプト１５］
小規模な変調は、液体輸送経路中で結果的に生じる圧力変動と関係することにより、液体輸送経路への入り口においてキャパシタンスおよびインピーダンスをさらに測定することを特徴とするコンセプト１に記載の装置。
［コンセプト１６］
前記出力装置は、情報を表示するように構成された表示部を含むことを特徴とするコンセプト１に記載の装置。
［コンセプト１７］
注入部位領域の状態は複数の予想された液体状態のパラメータを含み、
複数の測定された液体状態のパラメータが複数の予想された液体状態のパラメータの既定範囲内にない場合、情報は警告を含むことを特徴とするコンセプト１に記載の装置。
［コンセプト１８］
入力情報を受信するステップと、
血管接近装置（ＶＡＤ）によって薬剤を患者の注入部位領域にまで搬送するための液体輸送経路の複数の液体状態のパラメータを測定するステップと、
測定された複数の液体状態のパラメータと入力情報とに基づいて、注入部位領域のモデル状態を決定するステップと、
注入部位領域の状態に関する情報を提供するステップと、を含むことを特徴とする薬剤の搬送を監視するための方法。
［コンセプト１９］
複数の液体状態のパラメータは、液体輸送経路の圧力および抵抗を含むことを特徴とするコンセプト１８に記載の方法。
［コンセプト２０］
複数の液体状態のパラメータは、液体輸送経路のキャパシタンスおよびインピーダンスを含むことを特徴とするコンセプト１８に記載の方法。
［コンセプト２１］
プロセッサは、液体輸送経路の圧力と、液体輸送経路の抵抗と、患者の情報、薬剤情報、およびＶＡＤの情報の少なくとも１つとに基づいて、注入部位領域の状態のモデルを作るようにさらに構成されていることを特徴とするコンセプト１８に記載の方法。
［コンセプト２２］
前記モデルは、注入部位領域における液体およびタンパク質の状態を含むことを特徴とするコンセプト２１に記載の方法。
［コンセプト２３］
前記モデルは、液体輸送経路のキャパシタンスおよびインピーダンスにさらに基づくことを特徴とするコンセプト２１に記載の方法。
［コンセプト２４］
測定された複数の液体状態のパラメータの履歴を保存するように構成されたメモリをさらに含み、
前記モデルは測定された液体状態のパラメータの履歴にさらに基づくことを特徴とするコンセプト２１に記載の方法。
［コンセプト２５］
前記入力情報は、患者の情報、薬剤情報、およびＶＡＤの情報のうちの少なくとも１つを含み、
前記患者の情報は、患者の体重、患者の身長、患者の体表面積、患者の年齢、および患者の性別のうちの少なくとも１つを含み、
前記薬剤情報は、薬剤の化学的性質、薬剤の濃度、薬剤の注入速度、および薬剤に関する少なくとも１つの希釈剤または添加剤の性質のうちの少なくとも１つを含み、
前記ＶＡＤの情報は、ＶＡＤの型、ＶＡＤの大きさ、およびＶＡＤの位置のうちの少なくとも１つを含むことを特徴とするコンセプト１８に記載の方法。
［コンセプト２６］
抵抗は、プロセッサによって薬剤の平均注入速度中に導入された小規模な変調に基づいて測定されることを特徴とするコンセプト１８に記載の方法。
［コンセプト２７］
注入部位領域の状態は複数の予想された液体状態のパラメータを含み、
複数の測定された液体状態のパラメータが複数の予想された液体状態のパラメータの既定範囲内にない場合、情報は警告を含むことを特徴とするコンセプト１８に記載の方法。
［コンセプト２８］
薬剤の搬送を監視するための方法をプロセッサに実行させるためのコンピューターに読み込み可能な命令を含み、
入力情報を受信する命令と、
血管接近装置（ＶＡＤ）によって薬剤を患者の注入部位領域にまで搬送するための液体輸送経路の複数の液体状態のパラメータを測定する命令と、
測定された複数の液体状態のパラメータと入力情報とに基づいて、注入部位領域のモデル状態を決定する命令と、
注入部位領域の状態に関する情報を提供する命令と、を含むことを特徴とするコンピューターに読み込み可能な記録媒体。